(57)【要約】【課題】表面処理部のニス版胴へのニス版の取付けについて、作業性の向上を図ることが出来る印刷機を提供することをその課題とする。【解決手段】被印刷体を印刷する印刷部Ｂと、該印刷部Ｂにより印刷された被印刷体に表面処理を施す表面処理部Ｃとを備え、該表面処理部Ｃはニス版が巻回保持されるニス版胴１６を有する印刷機において、該ニス版胴１６には該ニス版を巻回する際の目印１００が設けられたことを特徴としている。【選択図】  図３
2017042926.tif 000002
【特許請求の範囲】
【請求項１】
被印刷体を印刷する印刷部と、該印刷部により印刷された被印刷体に表面処理を施す表面処理部とを備え、該表面処理部はニス版が巻回保持されるニス版胴を有する印刷機において、該ニス版胴には該ニス版を巻回する際の目印が設けられたことを特徴とする印刷機。
【請求項２】
該目印は該印刷機内に設けられた投影機による像からなることを特徴とする請求項１記載の印刷機。
【請求項３】
該ニス版は該ニス版胴に巻回されるアンダーシートと、該アンダーシート上に重ねて巻回されるブランケットにより構成されていることを特徴とする請求項１又は２記載の印刷機。
【発明の詳細な説明】
【技術分野】
【０００１】
本発明は枚葉紙などの被印刷体に印刷を施す印刷機に関し、特に印刷部で印刷された被印刷体にニス版胴によりニスを塗布する表面処理部を備えた印刷機に関するものである。
【背景技術】
【０００２】
印刷機には、給紙部から給紙される被印刷体に印刷部で印刷を施し、印刷後の被印刷体に表面処理部でニス塗布を行って印刷物に光沢を与え、排紙部に排紙する類のものがある。表面処理部は非印刷体を把持する圧胴と、圧胴に把持された被印刷体に当接してニス塗布を行うニス版胴と、ニス版胴に巻回保持されるニス版、ニス版にニスを供給するアニロックスローラ、このアニロックスローラにニスを供給するニス船等で構成される。特許文献１にはこのような枚葉印刷機の開示がある。
【先行技術文献】
【特許文献】
【０００３】
【特許文献１】特開２０１０−２２８１３５号公報
【発明の概要】
【発明が解決しようとする課題】
【０００４】
特許文献１に具体的な開示はないが、一般にこの種の印刷機においては、ニス版胴へのニス版の取付けは手動で行われる。よってニス版の取付け作業の作業性において、改善の余地があった。
【０００５】
本発明はこのような問題を解決するためになされたもので、表面処理部のニス版胴へのニス版の取付けについて、作業性の向上を図ることが出来る印刷機を提供することを目的とする。
【課題を解決するための手段】
【０００６】
本発明は上記目的を達成するため、被印刷体を印刷する印刷部Ｂと、該印刷部Ｂにより印刷された被印刷体に表面処理を施す表面処理部Ｃとを備え、該表面処理部Ｃはニス版が巻回保持されるニス版胴１６を有する印刷機において、該ニス版胴１６には該ニス版を巻回する際の目印１００が設けられたことを特徴としている。
【０００７】
また、該目印１００は該印刷機内に設けられた投影機２０、２１、３０、３１による像からなることを特徴としている。
【０００８】
また、該ニス版は該ニス版胴１６に巻回されるアンダーシートと、該アンダーシート上に重ねて巻回されるブランケットにより構成されていることを特徴としている。
【発明の効果】
【０００９】
本発明の印刷機においては、表面処理部のニス版胴へのニス版の取付けについて、作業性の向上を図ることが可能な印刷機を得ることが出来る。
【図面の簡単な説明】
【００１０】
【図１】本発明に係る印刷機の概略断面側面図である。
【図２】ニス版胴の側面図である。
【図３】本発明の第一の実施例におけるニス版胴の正面図である。
【図４】本発明の第二の実施例におけるニス版胴の正面図である。
【図５】本発明の第三の実施例におけるニス版胴の正面図である。
【発明を実施するための形態】
【００１１】
以下、本発明の実施形態にかかる印刷機について図１〜図５を参酌しつつ説明する。
【００１２】
図１は本発明に係る表面処理部を供えた印刷機の一例である。図１に示す通り、本実施例に係る印刷機は枚葉オフセット印刷機である。この印刷機は、紙積み台からフィーダ装置や用紙分離装置等により一枚ずつ印刷用紙としての枚葉紙を送り出すための給紙部Ａと、この給紙部Ａからの枚葉紙に印刷を行うための印刷部Ｂと、印刷部Ｂで印刷された枚葉紙に表面処理を施す表面処理部Ｃと、枚葉紙を排紙するための排紙部Ｄを備えている。ここで印刷部Ｂは、４色の印刷が行えるように４台の印刷ユニット５を備えた印刷部Ｂとしているが、４色以外の色、つまり１色又は２色以上の印刷が行える印刷部であってもよい。又、印刷機を構成する各部の具体的な構成は図に示されるものに限定されるものではない。
【００１３】
前記印刷ユニット５は、版胴１とゴム胴２とインキローラ群４、そして圧胴３と渡し胴６とを備えている。図示していないが、圧胴３のそれぞれには、送り出されてきた枚葉紙を爪台と爪とで把持するグリッパを、円周方向の２箇所（１箇所又は３箇所以上でもよい）に備えている。符号７は給紙胴であり、フィーダーボード８、口板９上を搬送される枚葉紙をスイングアーム１０から受け取り、圧胴３に渡す役割を果たす。給紙胴７、スイングアーム１０にも前記の爪台と爪が設けられている。
【００１４】
排紙部Ｄは２つの排紙胴とグリッパを備えるチェーン搬送装置にて構成されている。すなわち、表面処理部Ｃの圧胴３に隣接した第１排紙胴１１と、これに隣接した第２排紙胴１２が設けられ、そして枚葉紙の搬送方向前側（上流側）に設けられたスプロケット１３と枚葉紙の搬送方向後側（下流側）に設けられたスプロケット１４に無端状のチェーン１５が巻回されており、スプロケット１３、１４の回転により、図示しないチェーンガイドに規制された状態でチェーン１５は周回する。チェーン１５に所定間隔で複数固定された図示しないチェーングリッパに把持されて枚葉紙は排紙されることとなる。
【００１５】
図１に示すように、表面処理部Ｃには圧胴３と対向、当接し、ニス版が巻回されるニス版胴１６が設けられている。また、図示しないが、ニス版胴１６に当接してニスをニス版に供給するアニロックスローラが設けられている。そして表面処理部Ｃは、ニス版胴１６を圧胴３に対して昇降可能に支持する図示しない胴昇降装置を備えている。
【００１６】
ニス版胴１６について図２、図３をもとに詳細に説明する。円筒状のニス版胴１６は、軸方向に長く設けられたギャップＧ（切欠き部）を有している。このギャップＧ内には、軸方向に延びるブランケットクランプ１６ａ、１６ｂが設けられており、ブランケットクランプ１６ａ、１６ｂは、ニス版胴１６に巻回される図示しないニス版の一端と他端を、それぞれ固定把持可能になっている。ニス版はブランケットとも呼ばれており、その表面にニスが塗布され、圧胴３上を搬送される枚葉紙にニスコーティングを行うものである。また、ギャップＧにはブラン下とも呼ばれる、本発明のアンダーシートを把持可能なアンダーシートクランプ１６ｃも設けられている。アンダーシートクランプ１６ｃは板ばねにて構成される。
【００１７】
また、ニス版胴１６はその表面に目印１００が形成されている。目印１００はニス版胴１６の軸方向に平行な複数の軸方向線１００ａと、これに直交する複数の径方向線１００ｂとで構成される。径方向線１００ｂは円筒状のニス版胴１６の側端面１６ｄに平行である。目印１００の軸方向線１００ａと径方向線１００ｂとは、ニス版胴１６上にシルク印刷にて形成されているが、ニス版胴１６の表面に溝加工を施すことにより形成してもよい。
【００１８】
ここで、ニス版胴１６に巻回されるニス版について詳述する。ニス版は主に２種類があり、ニス版胴１６に直接巻回されるアンダーシートと、アンダーシートの上に巻回されるブランケットとで構成される。ブランケットはニス版胴１６の軸方向にニス版胴１６の全面に亘って設けられており、その表面は平面状に形成されている。一方、アンダーシートは使用される枚葉紙の幅方向のサイズに応じたものが使用される。表面が平面状のアンダーシートはニス版胴１６に直接巻回され、アンダーシートの上にブランケットが巻回されることとなる。よって、アンダーシートが巻回された部分のブランケットは、そうでない部分よりも隆起することとなり、この隆起したブランケットにニスが付着して枚葉紙に転写されることとなる。
【００１９】
本発明におけるニス版胴１６へのニス版の取付け作業について説明する。作業者はまず、図示しない昇降装置によりニス版胴１６を上昇させ、圧胴３から離間させる。そしてアンダーシートの一端をアンダーシートクランプ１６ｃに把持させる。このとき、目印１００の軸方向線１００ａ及び径方向線１００ｂを目印にしながら、ニス版胴１６に対して正確にアンダーシートを把持させることが可能となる。具体的には、図３のとおり、幅Ｗのアンダーシートを用いる場合、アンダーシート両端に対応する径方向線１００ｂを主に見ながら、枚葉紙の幅方向のずれや傾きがないようにアンダーシートを取り付けるのである。なお、図３では、アンダーシートが巻回される部分に斜線を施している。
【００２０】
次に、ブランケットの一端をブランケットクランプ１６ａに把持させる。このときも前述同様、目印１００によりニス版胴１６に対して正確にブランケットを把持させることが可能となる。そしてニス版胴１６を緩動運転させてブランケット及びアンダーシートをニス版胴１６に巻回させていく。
【００２１】
そしてブランケットの他端をブランケットクランプ１６ｂに把持させることにより、ブランケット及びアンダーシートをニス版胴１６に把持固定させる。この時も前述同様、目印１００によりニス版胴１６に対して正確にブランケット及びアンダーシートを把持させることが可能となる。
【００２２】
図４を用いて本発明の第二実施例について説明する。印刷機の両側に設けられたフレームＦ、Ｆには投影機２０、２１が設けられている。投影機２０はニス版胴１６の図４中右半分の表面に目印１００の像を投影し、投影機２１はニス版胴１６の図４中左半分の表面に目印１００の像を投影するよう、構成されている。投影機２０、２１はニス版の取付け、取外しの際やニス版の取付け状態を確認したい時に起動させる。投影機としては、レーザーマーキングが好ましい。ニス版の取付け作業については前述の実施例と同様である。
【００２３】
図５を用いて本発明の第三実施例について説明する。印刷機の両側に設けられたフレームＦ、Ｆには投影機３０、３１が設けられている。投影機３０はニス版胴１６の図５中右半分の表面に目印１００の像を投影し、投影機３１はニス版胴１６の図５中左半分の表面に目印１００の像を投影するよう構成されている。また、投影機３０、３１は矢印Ｒ方向に回動可能となっており、使用されるニス版（アンダーシート）の大きさに応じて、目印１００のニス版胴１６への投影位置を変更可能に構成されている。本実施例においては、目印１００は一本の軸方向線１００ａ及び径方向線１００ｂが十字交差した態様となっている。投影機３０、３１はニス版の取付け、取外しの際やニス版の取付け状態を確認したい時に起動させる。投影機としては、レーザーマーキングが好ましい。ニス版の取付け作業については前述の実施例と同様である。
【００２４】
尚、本発明は、前記実施形態に限定されるものではなく、本発明の要旨を逸脱しない範囲で種々の変更が可能である。例えば前述の説明では、使用される枚葉紙の幅方向のサイズに応じたアンダーシートが用いられていたが、これに限らず、ニス版胴１６の軸方向にニス版胴１６の全面に亘ったアンダーシートを用い、ニスの付着部分以外が切り取られたブランケットをその上に巻回把持させるタイプのものにも適用可能である。この場合、切り取られていないブランケットにニスが付着して枚葉紙に転写されることとなり、前述と同様、本発明の構成はニス版の位置調整作業に使用できる。
【００２５】
また、前述の実施形態では、オフセット枚葉印刷機であったが、これに限定されずニス版胴を有する表面処理部を備えた印刷機であれば輪転印刷機等、他の種類の印刷機であってもよい。
【産業上の利用可能性】
【００２６】
本発明に係る枚葉印刷機は、ニス版胴を有する表面処理部を供えた枚葉印刷機において極めて有用である。
【符号の説明】
【００２７】
１        ：版胴
２        ：ゴム胴
３        ：圧胴
４        ：インキローラ群
５        ：印刷ユニット
６        ：渡し胴
７        ：給紙胴
８        ：フィーダーボード
９        ：口板
１０      ：スイングアーム
１１      ：第１排紙胴
１２      ：第２排紙胴
１３      ：スプロケット
１４      ：スプロケット
１５      ：チェーン
１６      ：ニス版胴
１６ａ    ：ブランケットクランプ
１６ｂ    ：ブランケットクランプ
１６ｃ    ：アンダーシートクランプ
１６ｄ    ：側端面
２０      ：投影機
２１      ：投影機
３０      ：投影機
３１      ：投影機
１００    ：目印
１００ａ  ：軸方向線
１００ｂ  ：径方向線
Ａ        ：給紙部
Ｂ        ：印刷部
Ｃ        ：表面処理部
Ｄ        ：排紙部
Ｆ        ：フレーム
Ｇ        ：ギャップ
Ｒ        ：矢印
Ｗ        ：幅
【図１】
2017042926.tif 000003
【図２】
2017042926.tif 000004
【図３】
2017042926.tif 000005
【図４】
2017042926.tif 000006
【図５】
2017042926.tif 000007